(57)【要約】【課題】荷ずれを抑制することができ、梱包状態を安定させることができる、金属製パレット、上枠部材、コーナーアングル及び梱包構造を提供すること。【解決手段】シート又は縦軸のコイルよりなる製品を載置する載置面２０を有する金属製の載置板部２と、載置板部２の下面に横たえて平行に接合された複数の金属製の脚部３とを有する金属製パレット１である。脚部３の内部又はその近傍には、包装用バンドを挿通する挿通穴４０を有するバンドガイド部４を設けてある。バンドガイド部４における挿通穴４０の開口端部またはその延長上には、曲率半径が３ｍｍ以上の円弧状表面を有する曲げ支点部４５が配設されており、挿通穴４０に挿通された包装用バンドが上記曲げ支点部に沿って曲げられるように構成されていることが好ましい。【選択図】図１
2006347564.tif 000002
【特許請求の範囲】
【請求項１】
シート又は縦軸のコイルよりなる製品を載置する載置面を有する金属製の載置板部と、該載置板部の下面に横たえて平行に接合された複数の金属製の脚部とを有する金属製パレットにおいて、
上記脚部の内部又はその近傍には、包装用バンドを挿通する挿通穴を有するバンドガイド部を設けてあることを特徴とする金属製パレット。
【請求項２】
請求項１において、上記バンドガイド部における上記挿通穴の開口端部またはその延長上には、曲率半径が３ｍｍ以上の円弧状表面を有する曲げ支点部が配設されており、上記挿通穴に挿通された包装用バンドが上記曲げ支点部に沿って曲げられるように構成されていることを特徴とする金属製パレット。
【請求項３】
請求項１又は２において、上記バンドガイド部は、上記脚部の内部に全長にわたって設けた上記挿通穴により構成されており、上記曲げ支点部は、上記脚部の両端側面における上記挿通穴の開口端部の上辺部に設けられていることを特徴とする金属製パレット。
【請求項４】
請求項１〜３のいずれか１項において、上記脚部の両端の側面には、衝撃を吸収する側面緩衝材が配設されていることを特徴とする金属製パレット。
【請求項５】
請求項１〜４のいずれか１項において、上記脚部の底面には、衝撃を吸収する底面緩衝材が配設されていることを特徴とする金属製パレット。
【請求項６】
請求項１〜５のいずれか１項において、上記載置板部の上記載置面は、裏面との連通状態が遮断されるようにその全面が実質的に繋がった平板状に形成されていることを特徴とする金属製パレット。
【請求項７】
請求項６において、上記載置板部は、複数の金属製構造材を組み合わせて構成した骨部と、該骨部の上面全面を覆う表皮部とにより構成されていることを特徴とする金属製パレット。
【請求項８】
請求項７において、上記表皮部は、アルミニウム合金板よりなることを特徴とする金属製パレット。
【請求項９】
請求項７又は８において、上記表皮部の表面には、滑り防止用シートを配置してあることを特徴とする金属製パレット。
【請求項１０】
請求項１〜９のいずれか１項において、上記金属製パレットは、コイルを縦軸にして載置するコイル専用パレットであり、上記載置板部の形状は、縦寸法と横寸法とが略同一であることを特徴とする金属製パレット。
【請求項１１】
請求項１０において、上記載置板部には、上記コイルの内径の位置決め用の位置決め部材を立設するための挿入穴を中央部に設けてあることを特徴とする金属製パレット。
【請求項１２】
パレット上に載置されたシート又は縦軸のコイルよりなる製品を包装用バンドを用いて梱包固定する際に、該製品の上面に配置される上枠部材であって、
該上枠部材は、アルミニウム合金製の中空状の押出形材よりなる長尺状の本体部と、該本体部の長手方向両端を閉塞するよう溶接されたアルミニウム合金板よりなる側壁部材とよりなり、上記製品の上面に配される包装用バンドに沿って、その下方に配置して使用するよう構成されていることを特徴とする上枠部材。
【請求項１３】
請求項１２において、上記本体部は、その内部に上下の壁部を繋ぐリブを有しており、該リブは、上記包装用バンド配設位置の真下に位置するように配置されていることを特徴とする上枠部材。
【請求項１４】
請求項１２又は１３において、上記本体部は、その上面に全長に渡って窪んだ凹部を有しており、該凹部は、その幅が上記包装用バンドの幅寸法よりも広く、その深さが上記包装用バンドの厚み寸法よりも深いことを特徴とする上枠部材。
【請求項１５】
請求項１２〜１４のいずれか１項において、上記上枠部材は、複数平行に並べられ、それらの間がアルミニウム合金よりなる繋ぎ部材を介して接合されていることを特徴とする上枠部材。
【請求項１６】
請求項１〜１１のいずれか１項に記載の金属製パレットにおける上記載置板部上にシート又は縦軸のコイルよりなる製品を載置し、
該製品の上に請求項１２〜１５のいずれか１項に記載の上枠部材を載置し、
上記金属製パレットの上記バンドガイド部を挿通させた包装用バンドを上記上枠部材の上面に通して締め付けてあることを特徴とする梱包構造。
【請求項１７】
請求項１６において、上記シート又はコイルは、アルミニウム合金板材よりなることを特徴とする梱包構造。
【請求項１８】
パレット上に載置された略四角形状のシートよりなる製品を包装用バンドを用いて梱包固定する際に、該製品の側面角部に配置されるコーナーアングルであって、
該コーナーアングルは、２つの側面にそれぞれ対面するよう直角に配された２つの側板部と、該２つの側板部のＬ字状の端部を繋ぐように上記２つの側板部と直角に接合された上板部とを有してなり、
上記パレット上に載置された上記製品に締められる包装用バンドの下方に位置するように、上記製品の側面角部に当接させて使用するよう構成されていることを特徴とするコーナーアングル。
【請求項１９】
請求項１〜９のいずれか１項に記載の金属製パレットにおける上記載置板部上に略四角形状のシートよりなる製品を載置し、
該製品の４つの側面角部に請求項１８に記載のコーナーアングルを当接させ、
上記金属製パレットの上記バンドガイド部を挿通させた包装用バンドを上記コーナーアングルの上記側板部の上面に通して締め付けてあることを特徴とする梱包構造。
【請求項２０】
請求項１９において、上記シートは、アルミニウム合金板材よりなることを特徴とする梱包構造。
【発明の詳細な説明】
【技術分野】
【０００１】
本発明は、例えばアルミニウム合金板の製品であるシート又は縦軸コイルを梱包する際に用いる金属製パレット、上枠部材、コーナーアングル、並びにこれらを用いた梱包構造に関する。
【背景技術】
【０００２】
例えば、アルミニウム合金板よりなる製品としては、コイル状に巻き上げたコイル製品（以下、単にコイルという）と切り板状のシート製品を積層したもの（以下、単にシートという）とがあり、コイルとしては、縦軸、つまり巻回軸を垂直に向けたものと、横軸、つまり巻回軸を水平に向けたものとがある。
【０００３】
ところで、シート又は縦軸のコイルを梱包するには、水平な載置面を有するパレットに載置し、包装用バンドで縛ってしっかりと固定する必要がある。製品がパレット上でずれると、製品そのものにダメージを与え、製品価値が低下してしまう。
また、特にコイルは大型化が進み、例えばアルミニウム合金のコイルの場合には、１０トンを超えるような製品が梱包され、輸送されているのが現状である。
【０００４】
このような水平な載置面に載置されるシート又はコイルの梱包をより安定的に行う工夫がこれまでも行われてきた。しかしながら、パレット等の梱包部品についての改善には、未だ余地があり、更なる改善が求められている。
なお、従来の金属製パレットとしては、例えば特許文献１、２等がある。
【０００５】
【特許文献１】特開２０００−０４３８６９号公報
【特許文献２】特開２０００−０４３８７０号公報
【発明の開示】
【発明が解決しようとする課題】
【０００６】
本発明は、かかる従来の問題点に鑑みてなされたもので、従来よりも荷ずれを抑制することができ、梱包状態を安定させることができる、金属製パレット、上枠部材、コーナーアングル及び梱包構造を提供しようとするものである。
【課題を解決するための手段】
【０００７】
第１の発明は、シート又は縦軸のコイルよりなる製品を載置する載置面を有する金属製の載置板部と、該載置板部の下面に横たえて平行に接合された複数の金属製の脚部とを有する金属製パレットにおいて、
上記脚部の内部又はその近傍には、包装用バンドを挿通する挿通穴を有するバンドガイド部を設けてあることを特徴とする金属製パレットにある（請求項１）。
【０００８】
本発明の金属製パレットは、上記のごとく、上記脚部の内部又はその近傍に、包装用バンドを挿通する挿通穴を有するバンドガイド部を設けてある。これにより、上記金属製パレットに載置した製品を梱包する際に使用する包装用バンドによる締め付け作業を従来よりも容易にし、締め付け後の梱包状態を安定させることができる。
【０００９】
すなわち、包装用バンドを用いて製品をパレット上に固定する際には、パレットの裏から製品の側面および上方を囲うように回して、所定の位置で締め付け固定する。
従来は、包装用バンドの配設位置がある程度一定の位置に決められているものの、上記のようなバンドガイド部を備えているパレットはなかった。そのため、従来は、締め付け時に、包装用バンドの位置合わせする作業が比較的煩雑であり、例えば、最終の締め付けを行う前に包装用バンドの締結位置を再調整する作業も行っていた。また、重量物である製品を運搬する際には、予想以上の応力が製品に付与されるので、包装用バンドの締結位置が運搬中にずれることも全くないとは言い切れない。
【００１０】
これに対し、本発明では、上記のごとくバンドガイド部を設けてある。そのため、バンドガイド部の上記挿通穴に包装用バンドを通すことによって、包装用バンドの配設位置を簡単に決定することができる。また、締結した包装用バンドがずれようとしても、上記バンドガイド部によってその移動が阻止されるので、包装用バンドがずれる心配も全くない。
【００１１】
このように、本発明の金属製パレットを用いれば、上記バンドガイド部を有していることにより、包装用バンドの締め付け作業の容易化及び包装用バンドの配設位置の安定性が高まり、従来よりも荷ずれを抑制することができ、梱包状態を安定させることができる。
【００１２】
第２の発明は、パレット上に載置されたシート又は縦軸のコイルよりなる製品を包装用バンドを用いて梱包固定する際に、該製品の上面に配置される上枠部材であって、
該上枠部材は、アルミニウム合金製の中空状の押出形材よりなる長尺状の本体部と、該本体部の長手方向両端を閉塞するよう溶接されたアルミニウム合金板よりなる側壁部材とよりなり、上記製品の上面に配される包装用バンドに沿って、その下方に配置して使用するよう構成されていることを特徴とする上枠部材にある（請求項１２）。
【００１３】
本発明の上枠部材は、上記のごとく、アルミニウム合金製の中空状の押出形材よりなる長尺状の本体部を主体として構成されている。そのため、非常に軽量で梱包作業の容易化を図ることができる。また、上記本体部の両端には、アルミニウム合金板よりなる側壁部材が溶接されている。そのため、包装用バンドをその上面を通して強く締め付けても、上記側壁部材の存在により、上記本体部の中空部分が潰れるように変形することを抑制することができる。そのため、荷姿を安定させる強い締め付け力で包装用バンドを締め付けることが可能となる。
したがって、本発明の上枠部材を用いることによって、荷ずれを抑制することができ、梱包状態を安定させることができる。
【００１４】
第３の発明は、上記第１の発明の金属製パレットにおける上記載置板部上にシート又は縦軸のコイルよりなる製品を載置し、
該製品の上に上記第２の発明の上枠部材を載置し、
上記金属製パレットの上記バンドガイド部を挿通させた包装用バンドを上記上枠部材の上面に通して締め付けてあることを特徴とする梱包構造にある（請求項１６）。
【００１５】
本発明の梱包構造は、上記のごとく優れた第１の発明の金属製パレットと第２の発明の上枠部材の相乗的な効果によって、非常に安定した梱包状態を得ることができる。
【００１６】
第４の発明は、パレット上に載置された略四角形状のシートよりなる製品を包装用バンドを用いて梱包固定する際に、該製品の側面角部に配置されるコーナーアングルであって、
該コーナーアングルは、２つの側面にそれぞれ対面するよう直角に配された２つの側板部と、該２つの側板部のＬ字状の端部を繋ぐように上記２つの側板部と直角に接合された上板部とを有してなり、
上記パレット上に載置された上記製品に締められる包装用バンドの下方に位置するように、上記製品の側面角部に当接させて使用するよう構成されていることを特徴とするコーナーアングルにある（請求項１８）。
【００１７】
本発明のコーナーアングルは、断面Ｌ字状となるように直角に配した２つの側板部と、上端に配される上板部とにより構成されている。そのため、上記コーナーアングルは、パレット上に積層されて全体形状が直方体状になった製品の側面角部に容易に配設することができる。すなわち、上記コーナーアングルの２つの側板部を製品の側面角部を挟む２つの側面に当接させると共に、上記上板部を製品の上面に当接させることにより、コーナーアングルがきっちりと製品の側面角部に当接した状態で配置される。
【００１８】
そして、この状態で、コーナーアングル上を通るように縦あるいは横に包装用バンドを配置して締めることにより、製品にダメージを与えることなく、包装固定することができる。
また、このコーナーアングルを用いれば、積層したシート製品がずれたりすることを防止することができ、より安定した梱包状態を得ることができる。
【００１９】
第５の発明は、上記第１の発明の金属製パレットにおける上記載置板部上に略四角形状のシートよりなる製品を載置し、
該製品の４つの側面角部に上記第４の発明のコーナーアングルを当接させ、
上記金属製パレットの上記バンドガイド部を挿通させた包装用バンドを上記コーナーアングルの上記側板部と上記上板部の上面に通して締め付けてあることを特徴とする梱包構造にある（請求項１９）。
本発明の梱包構造は、上記のごとく優れた第１の発明の金属製パレットと第４の発明のコーナーアングルの相乗的な効果によって、シート製品における非常に安定した梱包状態を得ることができる。
【発明を実施するための最良の形態】
【００２０】
第１〜第５の発明において用いる包装用バンドとしては、例えば帯鉄ともよばれる鉄（炭素鋼）バンド、またはＰＰ（ポリプロピレン）バンドと呼ばれる樹脂バンドがあり、いずれも、厚みが０．４〜１．５ｍｍ、幅が７〜３５ｍｍの帯状である。その固定は、金属製のシール材を用いて専用の工具を用いて行うことができる。
【００２１】
また、上記第１の発明における上記バンドガイド部は、載置板部の裏面に沿ってその全長に設けることが最も好ましいが、一部分のみに設けても上述した作用効果を得ることができる。
また、上記バンドガイド部は、上記脚部と平行に設けることが好ましい。この場合には、両者が平行であることにより、バンドガイド部の配設が非常に容易である。また、この場合には、上記バンドガイド部は、後述するごとく、脚部の内部に設けてもよいし、脚部とは別に設けてもよい。
また、上記バンドガイド部は、上記脚部と直角方向に設けることも可能である。
【００２２】
また、上記バンドガイド部における上記挿通穴の開口端部またはその延長上には、曲率半径が３ｍｍ以上の円弧状表面を有する曲げ支点部が配設されており、上記挿通穴に挿通された包装用バンドが上記曲げ支点部に沿って曲げられるように構成されていることが好ましい（請求項２）。
【００２３】
この場合には、上記曲げ支点部の存在によって、包装用バンドを曲げる曲率半径を大きくすることができ、包装用バンドへのダメージが小さくなり、また、増し締め等を行う際に包装用バンドが滑りやすくなる。そのため、より強固で安定した梱包状態を得ることができる。
上記曲げ支点部の曲率半径が３ｍｍ未満の場合には、上述した効果が十分に得られないおそれがある。
【００２４】
また、上記バンドガイド部は、上記脚部の内部に全長にわたって設けた上記挿通穴により構成されており、上記曲げ支点部は、上記脚部の両端側面における上記挿通穴の開口端部の上辺部に設けられていることが好ましい（請求項３）。
すなわち、上記バンドガイド部は、上記脚部の内部に全長にわたって設けた上記挿通穴により構成されていることが好ましい。これにより、脚部と別にバンドガイド部を設ける必要がなく、構造をシンプルにすることができる。また、上記挿通穴を脚部全長に設けることによって、載置台の裏面に包装用バンドを通す作業を非常に容易にすることができる。
【００２５】
また、上記脚部の両端の側面には、衝撃を吸収する側面緩衝材が配設されていることが好ましい（請求項４）。この場合には、上記金属製パレットを用いて梱包した製品を複数並べて載置する際に、金属製の脚部同士が衝突して変形等する不具合を防止することができる。また、パレット上の製品がコイルである場合に、コイルの軸を縦軸状態から横軸状態に反転する作業を行う際に、最終段階でパレットが自重で下方に移動して反転機等に衝突する際の衝撃緩和および衝撃音の低減を図ることができる。特に、従来の木製パレットの場合にはパレットそのものが衝撃を吸収する機能が備わっていたが、本発明のように金属製とした場合には、上記側面緩衝材の採用が非常に有効である。また、特に上記脚部にバンドガイド部を設けた場合は、脚部の側面を通る包装用バンドが損傷することを防止することができる。
上記側面緩衝材としては、例えばゴム板、繊維ボード、プラスチック板、硬質発泡材等を適用することができる。
【００２６】
また、上記脚部の底面には、衝撃を吸収する底面緩衝材が配設されていることが好ましい（請求項５）。この場合には、上記金属製パレットを持ち上げて降ろす際に、床面あるいはトラックの荷台等に衝突してこれらを傷つける等の不具合を防止することができる。特に、従来の木製パレットの場合にはパレットそのものが衝撃を吸収する機能が備わっていたが、本発明のように金属製とした場合には、上記底面緩衝材の採用が非常に有効である。
上記底面緩衝材としては、常時製品の荷重を受けるので、耐荷重性および耐摩耗性に優れた、例えばプラスチック角材等を適用することが好ましい。
【００２７】
また、上記載置板部の上記載置面は、裏面との連通状態が遮断されるようにその全面が実質的に繋がった平板状に形成されていることが好ましい（請求項６）。
従来の木製パレットの問題として、木材にカビ等が発生したり、木材自身が劣化して耐久性が十分でないという問題があるが、これらは、上記のごとく、載置板部および脚部を金属製にすることによって概ね解決可能である。しかしながら、梱包状態で保管している際に害虫が製品に付く、あるいは汚れが侵入するという問題については、単に、素材を木材から金属に変えただけでは解決できない。特に飲料缶等の材料となるアルミニウム合金板製品の梱包には、害虫や汚れの侵入が大きな問題となるので、様々な環境対策や管理体制等によって問題の発生を抑えてきた。
【００２８】
ところで、通常は、パレットから上の部分を密に包装する場合が多いので、害虫や汚れについては、パレットの載置板部の裏面から表面へ連通する部分を通って地上から侵入するのがほとんどである。
一方、従来の木製のパレットおよび金属製は、軽量化の観点から、載置板部を簀の子状にして表裏が連通する連通部を設けることが通常であり、特に、シート又はコイルを梱包するためのパレットは、少なくとも一部に表裏の連通部を有している。
【００２９】
これに対し、上記のごとく、上記載置板部の上記載置面を、裏面との連通状態が遮断されるようにその全面が実質的に繋がった平板状に形成することにより、上記載置面によって汚れや虫が載置板部の裏面から表面へ通過することを確実に防止することができる。すなわち、環境対策や管理体制等に頼ることなく、パレットの構造そのものによって汚れや虫の侵入対策を講ずることが可能となる。
【００３０】
また、上記載置板部は、複数の金属製構造材を組み合わせて構成した骨部と、該骨部の上面全面を覆う表皮部とにより構成されていることが好ましい（請求項７）。この場合には、上記骨部によって強度を維持し、上記表皮部によって隙間のない載置面を形成することができ、軽量化と防虫等の対策を同時に行うことができる。
なお、上記載置面における裏面との連通状態を遮断する構造としては、シート状の穴のない上記表皮部を用いる構造の他に、例えば形材の平面部分を上面に向けて複数並べ、当接部分を表側又は裏側で溶接する構造などを採用することができる。
【００３１】
また、上記表皮部は、アルミニウム合金板よりなることが好ましい（請求項８）。アルミニウム合金板は、耐久性と軽量という特性を兼ね備えているので、上記表皮部として非常に好適である。
なお、上記表皮部は、必ずしも金属である必要はなく、耐久性に優れた樹脂材料等を適用することも可能である。
【００３２】
また、上記表皮部の表面には、滑り防止用シートを配置してあることが好ましい（請求項９）。この場合には、上記載置板部上に配置した製品が滑ってずれることを防止することができ、より安定な梱包状態を得ることができる。
上記滑り防止用シートとしては、例えば、ゴムのシートを適用することができる。
【００３３】
また、上記金属製パレットは、コイルを縦軸にして載置するコイル専用パレットであり、上記載置板部の形状は、縦寸法と横寸法とが略同一であることが好ましい（請求項１０）。この場合には、コイルの外形に適した安定した梱包状態を得ることができる。そして、複数横に並べる場合に、占有スペースを最小化することができる。
【００３４】
また、上記載置板部には、上記コイルの内径の位置決め用の位置決め部材を立設するための挿入穴を中央部に設けてあることが好ましい（請求項１１）。この場合には、例えば、外形よりも幅寸法が小さい比較的動きやすいコイルを載置する際に、荷ずれ防止をさらに強化することができる。上記位置決め部材としては、載置板部に載置したコイルの内径を支持するものであれば様々な構造のものを用いることができる。
【００３５】
また、上記挿入穴としては、有底、つまり底のある穴を採用することが好ましい。この場合には、載置板部の上方と下方とを完全に遮断することができ、害虫や汚れがパレットの載置板部の裏面から表面へ通過することを確実に防止することができ、製品の健全性を長期にわたって維持することができる。
なお、表裏の完全な遮断構造が必要ない場合には、底のない挿入穴を設けると共に、その開口部周囲に窪みを設け、つば部を有する位置決め部材を用いて挿入深さを規制する構造をとることもできる。
【００３６】
次に、上記第２の発明においては、上記上枠部材の上記本体部は、その内部に上下の壁部を繋ぐリブを有しており、該リブは、上記包装用バンド配設位置の真下に位置するように配置されていることが好ましい（請求項１３）。この場合には、上記リブの存在によって、上記本体部の剛性をさらに高めることができ、包装用バンドにより締め付け力をさらに高くすることもできる。
【００３７】
また、上記本体部は、その上面に全長に渡って窪んだ凹部を有しており、該凹部は、その幅が上記包装用バンドの幅寸法よりも広く、その深さが上記包装用バンドの厚み寸法よりも深いことが好ましい（請求項１４）。この場合には、上記本体部の上面に配置する包装用バンドの位置決めを容易にすることができ、また、梱包した製品を段積みにする際に、上方に載置した製品のパレットによって包装用バンドが損傷することを防止することができる。
【００３８】
また、上記上枠部材は、複数平行に並べられ、それらの間がアルミニウム合金よりなる繋ぎ部材を介して接合されていることが好ましい（請求項１５）。この場合には、複数の上枠部材を一体化した状態で操作することができ、梱包作業を合理化することができる。また。複数の上枠部材の間隔を常に一定にすることができ、梱包の精度を高めることもできる。
【００３９】
次に、上記第３、第５の発明においては、上記シート又はコイルは、アルミニウム合金板材よりなることが好ましい（請求項１７、２０）。アルミニウム合金板材は、非常に傷つきやすく、梱包状態の安定化が非常に重要である。そのため、上述した梱包構造が非常に有効である。また、この点は、上記第１および第２の発明においても同様である。
【実施例】
【００４０】
（実施例１）
本発明の実施例に係る金属製パレット、上枠部材及び梱包構造につき、図１〜図１２を用いて説明する。
まず、本例で用いる金属製パレット１（以下、パレット１という）は、図１〜図６に示すごとく、縦軸のコイルを載置する載置面２０を有する金属製の載置板部２と、該載置板部２の下面に横たえて平行に接合された複数の金属製の脚部３とを有する。脚部３の内部には、包装用バンド８（図１２）を挿通する挿通穴４０を有するバンドガイド部４を脚部３と平行に設けてある。
【００４１】
上記載置板部２は、図１〜図３に示すごとく、コイルを縦軸にして載置するコイル専用パレットとすべく、その形状を、縦寸法と横寸法とが略同一となるように構成した。すなわち、正方形状の４つの角部を斜めに切り取った形状の八角形状を呈する形とした。
また、同図に示すごとく、載置板部２の載置面２０は、裏面との連通状態が遮断されるようにその全面が繋がった平板状に形成されている。
【００４２】
載置板部２の具体的な構造は、図２、図３に示すごとく、複数の鋼製構造材を組み合わせて構成した骨部２２（図２）と、該骨部２２の上面全面を覆う表皮部２１（図３）とにより構成されている。
図２に示すごとく、骨部２２は、八角形を縁取る周枠部２２１と、２本の縦枠部２２２と、４本の横枠部２２３とより構成され、横枠部２２３と平行に２本一対の脚部３が裏面に接合されている。脚部３の側面には、図１、図２、図４に示すごとく、ワイヤー等の吊り具を接触させる部分の強化として、Ｌ型のアングル材２９が接合されている。
【００４３】
図３に示すごとく、上記表皮部２１は、アルミニウム合金板よりなり、穴のない平板状を呈して上記載置面２０を構成する部分と、その周端部において９０°曲げられて上記骨部２２の側面を覆う側面部２０２とを有している。この表皮部２１は、側面部２０２を骨部２２の側面にリベット止め（図示略）することにより固定される。
【００４４】
上記構成の載置板部２の裏面に横たえて配置した一対の脚部３は、図４、図５に示すごとく、概ね四角柱状の形状を有している。そして、上記バンドガイド部４は、脚部３の内部に全長にわたって設けた挿通穴４０により構成されている。本例では、バンドガイド部４として、四角パイプを採用し、これを脚部３の全長に渡って内蔵させることにより構成した。
【００４５】
また、図６に示すごとく、脚部３の両端側面３３における挿通穴４０の開口端部の上辺部には、曲げ支点部４５が設けられている。
曲げ支点部は、曲率半径が４ｍｍの円弧状表面を有するもの、つまり直径８ｍｍφの丸棒を採用した。
【００４６】
また、図４〜図６に示すごとく、脚部３の両端側面３３には、衝撃を吸収する側面緩衝材３５１を配設した。本例では、厚み１０ｍｍのゴム板を採用し、バンドガイド部４の挿通穴４０の開口部周囲を切り欠いた形状とした。
また、脚部３の底面には、衝撃を吸収する底面緩衝材３５２を配設した。底面緩衝材３５２の材質はプラスチックとし、その厚みは４０ｍｍとした。
【００４７】
次に、本例で用いる上枠部材６は、図７に示すごとく、パレット上に載置されたシート又は縦軸のコイルよりなる製品９を包装用バンド（鉄バンド）８（図１２）を用いて梱包固定する際に、製品９の上面に配置される上枠部材である。
上枠部材６は、アルミニウム合金製の中空状の押出形材よりなる長尺状の本体部６０と、本体部６０の長手方向両端を閉塞するよう溶接されたアルミニウム合金板よりなる側壁部材６１とよりなる。
【００４８】
図８に示すごとく、上枠部材６の本体部６０は、その内部に上下の壁部を繋ぐリブ６２を有している。このリブ６２は、包装用バンド配設位置の真下に位置するように、幅方向中央に配置してある。
また、本体部６０は、その上面に全長に渡って窪んだ、包装用バンド８の幅寸法よりも広く、厚み寸法よりも深い凹部６５を有している。
また、本例では、図７に示すごとく、２本の上枠部材６を平行に並べ、それらの間をアルミニウム合金よりなる繋ぎ部材６６を介して溶接接合した構造のものを採用した。これらの間隔は、上記凹部６５同士の間隔が、上述したパレット１の脚部３に設けたバンドガイド部４同士の間隔と合致するように設定した。
【００４９】
次に、上記パレット１及び上枠部材６を用いて製品（縦軸のアルミニウム合金板よりなるコイル）９を梱包した梱包構造について説明する。
図９に示すごとく、まず、パレット１の載置面２０上に製品９を載置する。通常、コイルは横軸状態で製造されるが、上記の状態にするには、例えばダウンエンダーと呼ばれるような９０°反転装置を用いて行う。
【００５０】
次に、ビニール等の包装資材（図示略）を用いて、パレット１の載置板部２と製品９とを覆い、その後、図１０に示すごとく、製品上端面の形状に合わせた円形の保護板部材８９を被せる。
次に、図１１に示すごとく、製品９の上、つまり上記保護板部材８９の上に、上述した上枠部材６を載置する。このとき、パレット１の脚部３と、上枠部材６とが垂直方向に見て揃うように配置する。
【００５１】
次に、図１２に示すごとく、パレット１の脚部３におけるバンドガイド部４の挿通穴４０に、包装用バンド８を挿通させる。そして、その包装用バンド８を上枠部材６の上記凹部６５上に通して、図示しないシール材を用いて締結する。
本例の梱包構造は、上記のような手順によって得られた構造を有している。
【００５２】
次に、本例における作用効果について説明する。
まず、本例のパレット１は、脚部３の内部に、包装用バンド８を挿通する挿通穴４０を有するバンドガイド部４を脚部３と平行に設けてある。そのため、バンドガイド部４の挿通穴４０に包装用バンド８を通すことによって、包装用バンド８の締結位置を簡単に決定することができ、締め付け作業を非常に容易にすることができる。また、締結した包装用バンド８がずれようとしても、上記バンドガイド部４によってその移動が阻止されるので、包装用バンド８がずれる心配も全くない。
【００５３】
さらに、本例のパレット１のバンドガイド部４は、載置板部２の裏面に沿ってその全長に設けてあるので、包装用バンド８の挿入作業が非常に容易である。
また、バンドガイド部４における挿通穴４０の開口端部には、上記曲げ支点部４５が配設されている。これにより、包装用バンド８を曲げる曲率半径を大きくすることができ、包装用バンド８へのダメージが小さくなり、また、増し締め等を行う際に包装用バンドが滑りやすくなる。そのため、より強固で安定した梱包状態を得ることができる。
【００５４】
また、脚部３の両端の側面には、衝撃を吸収する側面緩衝材３５１が配設されている。これにより、複数のパレット１を並べて載置する際に、金属製の脚部３同士が衝突して変形等する不具合を防止することができる。また、上記側面緩衝材３５１の表面に包装用バンド８が配置されるので、包装用バンド８が損傷することを防止することもできる。
また、脚部３の底面には、衝撃を吸収する底面緩衝材３５２も配設されている。これにより、床面あるいはトラックの荷台等に脚部３が衝突してこれらを傷つける等の不具合を防止することができる。
【００５５】
また、本例でさらに注目すべき点は、載置板部２の載置面２０は、裏面との連通状態が遮断されるようにその全面が隙間なく繋がった平板状に形成されている点である。より具体的には、上述したように、アルミニウム合金板よりなる表皮部２１により骨部２２の上面全面を覆っている。
これにより、害虫や汚れがパレット１の載置板部２の裏面から表面へ通過することを確実に防止することができ、製品の健全性を長期にわたって維持することができる。
また、表皮部２１としては、アルミニウム合金板という耐久性と軽量という特性を兼ね備えたものを採用しており、しかも、骨部２２との組み合わせで構成してあるので、強度と軽量化の両方を満足させることができる。
【００５６】
また、本例の上枠部材６は、上記のごとく、アルミニウム合金製の中空状の押出形材よりなる長尺状の本体部６０を主体として構成されている。そのため、非常に軽量で梱包作業の容易化を図ることができる。また、本体部６０の両端には、アルミニウム合金板よりなる側壁部材６１が溶接されている。そのため、包装用バンド８をその上面を通して強く締め付けても、側壁部材６１の存在により、本体部６０の中空部分が潰れるように変形することを抑制することができる。特に、本例では、本体部６０の内部に上下の壁部を繋ぐリブ６２を、包装用バンド配設位置の真下に位置するように配置しているので、本体部６０の剛性をさらに高めることができる。
【００５７】
また、本体部６０は、上記凹部６５を有している。これにより、本体部６０の上面に配置する包装用バンド８の位置決めを容易にすることができ、また、梱包した製品を段積みにする際に、上方に載置した製品のパレット１によって包装用バンド８が損傷することを防止することができる。
【００５８】
また、本例の上枠部材６は、２本平行に並べられ、それらの間がアルミニウム合金よりなる繋ぎ部材６６を介して溶接接合されている。そして、その間隔をパレット１の脚部３の間隔と合わせてある。そのため、上枠部材６の位置決めが非常に容易で、また、上枠部材６の間隔を常に一定にすることができ、梱包の精度を高めることができる。
【００５９】
このように、本例では、優れた金属製パレット１と上枠部材６とを組み合わせて、梱包を行うので、荷ずれを抑制することができ、梱包状態を安定させることができる。そして、そのため、非常に傷つきやすいアルミニウム合金よりなる製品９の梱包にも最適な梱包構造を得ることができる。
【００６０】
（実施例２）
本例は、図１３に示すごとく、実施例１のパレット１における脚部３に代えて構造の異なる脚部３０２を採用した例である。
すなわち、本例における脚部３０２は、底板部３２１、縦板部３２２及び天板部３２３をコ字状に配した鋼材より構成され、その天板部３２３の裏面に、四角形状のパイプよりなるバンドガイド部５を配設した。
【００６１】
バンドガイド部５は、挿通穴５０を有しており、その長さは、脚部３０２の長さ全長ではなく、脚部３０２に沿って一部分の長さとしてある。また、挿通穴５０の開口部の延長上には、丸棒よりなる曲げ支点部５５を設けてある。
その他の構造は実施例１と同様である。
この場合には、挿通穴５０への包装用バンド８の挿通作業が実施例１の場合よりも若干やりにくくなるが、それ以外は実施例１とほぼ同様の作用効果が得られる。
【００６２】
（実施例３）
本例は、図１４、図１５（ａ）に示すごとく、実施例１の場合と構造の異なる載置板部２５を採用し、さらに、その載置板部２５に、コイルの内径の位置決め用の位置決め部材を立設するための有底の挿入穴２７を中央部に４つ設けた例である。
すなわち、図１４、図１５に示すごとく、載置板部２５は、断面略コ字状の曲げ加工を施した幅の異なる２種類の鋼部材２５１、２５２等を複数並べ、その接触部分を溶接して構成した。そして、この溶接により、製品を載置する載置面２５０は、その全面が実質的に繋がった平板状に形成されている。
【００６３】
また、載置板部２５の中央部には、挿入穴２７を設けた。具体的には、図１５に示すごとく、底部２７２を有する丸パイプ２７１を、載置板部２５の載置面２５０に設けた穴から挿入して、その上端部を接合して設けた。この挿入穴２７に、位置決め部材（図示略）を挿入することにより、載置面２５０に配置した縦軸のコイルよりなる製品９の内径位置９９のズレを防止することが可能となるよう構成してある。また、底部２７２を有する有底の丸パイプ２７１を採用したので、載置板部２５の上方と下方とを完全に遮断することができ、害虫や汚れがパレットの載置板部２５の裏面から表面へ通過することを確実に防止することができ、製品の健全性を長期にわたって維持することができる。
【００６４】
その他の構造は実施例１と同様である。
本例の場合には、例えば、幅の小さいコイルを複数積層する場合などに、コイルのズレを防止することができ、特に有効である。
その他は実施例１と同様の作用効果が得られる。
なお、表裏の完全な遮断構造が必要ない場合には、図１５（ｂ）に示すごとく、底のない挿入穴２８を設けると共に、その開口部周囲に窪み２８１を設け、つば部２９１を有する位置決め部材２９を用いて挿入深さを規制する構造をとることもできる。
【００６５】
（実施例４）
本例は、四角形状のシートを積層してなる製品の梱包構造、およびこれに用いる金属パレット等に関する例である。
図１６に示すごとく、本例の金属製パレット７は、シートよりなる製品を載置する載置面を有するアルミニウム合金製形材よりなる載置板部７１と、該載置板部７１の下面に横たえて平行に接合された複数のアルミニウム合金製形材よりなる脚部７５とを有する。そして、本例では、脚部７５の上方には、上記載置板部７１を構成する四角パイプ状の形材７１０の内部に、包装用バンドを挿通する挿通穴７４０を有するバンドガイド部７４を設けてある。
【００６６】
より具体的に説明すると、同図に示すごとく、載置板部７１は、四角パイプ状のアルミニウム合金製の形材７１０を、所定の間隔を空けて平行に並べて構成してある。この載置板部７１の下方には、形材７１０のの長手方向と直交するように延ばした２つの脚部７５を横たえて溶接により接合してある。脚部７５もアルミニウム合金製の形材であり、四角パイプ状の本体部分７５１と、ワイヤー等の吊り具をかける場合の補強となる補強板部分７５２を一体的に押出成形したものである。
また、載置板部７１の両端部裏面には、脚部７５と平行に配された補強板７６が溶接されている。
【００６７】
次に、図１７に示すごとく、本例で用いるコーナーアングル７７は、直角に配された２つの側板部７７１、７７２と、該２つの側板部７７１、７７２のＬ字状の端部を繋ぐように上記２つの側板部７７１、７７２と直角に接合された上板部７７３とを有している。
また、図１８に示すごとく、各側板部７７１、７７２の上下端の断面形状は、その角部が曲率半径３ｍｍを超える円弧状形状に仕上げられている。
【００６８】
次に、図１９に示すごとく、本例では、アルミニウム合金製の角パイプを溶接により組み合わせて構成した上枠部材７８を準備した。外形状は製品の形状に合わせてあり、上記角パイプを用いることによって剛性を持たせてある。またアルミニウム合金を採用することにより、軽量化して扱いやすくしてある。
【００６９】
次に、上記パレット７、コーナーアングル７７及び上枠部材７８を用いてシートの積層品よりなる製品９５を梱包した梱包構造について説明する。
図２０に示すごとく、まず、パレット７の載置板部７１上に製品９５を載置する。同図に示すごとく、製品９５は、薄板の四角形状のシート品であるが、積層することによって直方体形状となっている。そして、その製品９５の上には、保護板部材８７を被せた後に、上述した上枠部材７８を載置する。
【００７０】
次に、図２１に示すごとく、製品９５の４つの側面角部にコーナーアングル７７を当接させる。コーナーアングル７７は、上述したように、断面Ｌ字状となるように直角に配した２つの側板部７７１、７７２と、上端に配される上板部７７３とにより構成されている。そのため、コーナーアングル７７の２つの側板部７７１、７７２を製品９５の側面角部を挟む２つの側面に当接させると共に、上板部７７３を製品９５の上面に当接させることにより、コーナーアングル７７がきっちりと製品９５の４つの側面角部に当接した状態で配置される。このため、包装用バンド８を掛けてコーナーアングル７７を固定するまでの間、人手等でコーナーアングル７７を支持しておく必要が無い。
【００７１】
そして、図２２に示すごとく、この状態で、コーナーアングル７７の側板部７７１、７７２上を通るように縦に包装用バンド８を配置して締める。このとき、パレット７のバンドガイド部７４の挿通穴７４０に包装用バンド８を挿通させることは、上述した他の実施例と同様である。
なお、図２３に示すごとく、すべてのコーナーアングル７７を横切るように横方向に包装用バンド８を締めることも可能である。
【００７２】
本例では、上記のごとく、特殊な形状のコーナーアングル７７を用いて梱包する。このコーナーアングル７７には、２つの側板部７７１、７７２だけでなく、上記上板部７７３を有しているので、上述したように、非常に容易に製品の側面角部に配置することができる。そして、この状態で、コーナーアングル７７上を通るように縦あるいは横に包装用バンド８を配置して締めることにより、製品９５にダメージを与えることなく、包装固定することができる。また、このコーナーアングル７７を用いれば、積層したシート製品がずれたりすることを防止することができ、より安定した梱包状態を得ることができる。
【００７３】
さらに、上記コーナーアングル７７の各側板部７７１、７７２の上下端は、上述したように円弧状形状に仕上げてある。そのため、その端部が、包装用バンド８の曲げ支点部としての機能を発揮し、包装用バンド８を傷めることなく曲げることができる。
【００７４】
また、上記パレット７にバンドガイド部７４設けたことによる効果は、実施例１の場合と同様である。
【図面の簡単な説明】
【００７５】
【図１】実施例１における、金属製パレットの斜視図。
【図２】実施例１における、金属製パレットの載置板部の骨部を示す平面図。
【図３】実施例１における、金属製パレットの載置板部の表皮部を示す斜視図。
【図４】実施例１における、金属製パレットの正面図（図１のＡ矢視図）。
【図５】実施例１における、金属製パレットの側面図（図１のＢ矢視図）。
【図６】実施例１における、金属製パレットの脚部に設けたバンドガイド部の構造を示す説明図（図４のＣ−Ｃ線矢視断面図）。
【図７】実施例１における、上枠部材の斜視図。
【図８】実施例１における、上枠部材の本体部の断面図（図７のＤ−Ｄ線矢視断面図）。
【図９】実施例１における、金属製パレットに製品を載置した状態を示す説明図。
【図１０】実施例１における、製品の上に保護板部材を載置した状態を示す説明図。
【図１１】実施例１における、製品の上に上枠部材を載置した状態を示す説明図。
【図１２】実施例１における、梱包が完了した状態を示す説明図。
【図１３】実施例２における、脚部及びバンドガイド部の構造を示す説明図。
【図１４】実施例３における、金属製パレットの載置板部を示す平面図。
【図１５】実施例３における、金属製パレットの載置板部の断面図（図１４のＥ−Ｅ線矢視断面図）。
【図１６】実施例４における、金属製パレットの斜視図。
【図１７】実施例４における、コーナーアングルの斜視図。
【図１８】実施例４における、コーナーアングルの側板部の断面図（図１７のＦ−Ｆ線矢視断面図）。
【図１９】実施例４における、上枠部材の斜視図。
【図２０】実施例４における、金属製パレットに製品を載置し、さらに製品の上に保護板部材と上枠部材を載置した状態を示す説明図。
【図２１】実施例４における、製品の４つの側面角部にコーナーアングルを配置した状態を示す説明図。
【図２２】実施例４における、製品に包装用バンドを縦方向に締め付けた状態を示す説明図。
【図２３】実施例４における、製品に包装用バンドを横方向に締め付けた状態を示す説明図。
【符号の説明】
【００７６】
１、７  金属製パレット
２、２５、７１  載置板部
３、３０２  脚部
４、５、７４  バンドガイド部
４０、５０、７４０  挿通穴
４５、５５  曲げ支点部
６、７８  上枠部材
７７  コーナーアングル
【図１】
2006347564.tif 000003
【図２】
2006347564.tif 000004
【図３】
2006347564.tif 000005
【図４】
2006347564.tif 000006
【図５】
2006347564.tif 000007
【図６】
2006347564.tif 000008
【図７】
2006347564.tif 000009
【図８】
2006347564.tif 000010
【図９】
2006347564.tif 000011
【図１０】
2006347564.tif 000012
【図１１】
2006347564.tif 000013
【図１２】
2006347564.tif 000014
【図１３】
2006347564.tif 000015
【図１４】
2006347564.tif 000016
【図１５】
2006347564.tif 000017
【図１６】
2006347564.tif 000018
【図１７】
2006347564.tif 000019
【図１８】
2006347564.tif 000020
【図１９】
2006347564.tif 000021
【図２０】
2006347564.tif 000022
【図２１】
2006347564.tif 000023
【図２２】
2006347564.tif 000024
【図２３】
2006347564.tif 000025